(57)【要約】【課題】  複数の異なる画像からなる原稿を連続して読み取り、所定の順番に２つの搬送領域で搬送されるそれぞれの記録体に振り分けて画像形成するような場合でも、画像形成終了後に記録体の並べ替えを必要とせず、作業の効率化を図ることができる画像形成装置を提供する。【解決手段】排紙部５００が第１記録紙の排出位置に対応した第１排紙トレイ５０１と第２記録紙の排出位置に対応した第２排紙トレイ５０２とを備え、第１排紙トレイ５０１は第２排紙トレイ５０２よりも下方の位置にあり、該第２排紙トレイは該第１排紙トレイ側が下向きとなるよう傾斜し、第２排紙トレイ５０２に排紙された第２記録紙は第１排紙トレイに落下する。【選択図】  図２
2006256801.tif 000002
【特許請求の範囲】
【請求項１】
像担持体と、該像担持体上にトナー像を形成する画像形成手段と、
記録体を給紙する給紙手段と、
該給紙手段により給紙された該記録体に該担持体上のトナー像を転写する転写手段と、
該転写手段により該記録体上に形成されたトナー像を該記録体上に定着する定着手段と、
トナー像の定着がなされた該記録体が排出され排紙部を有し、
該記録体を搬送する搬送経路を記録体搬送方向に垂直な幅方向に領域を分けた複数の搬送領域で、該記録体を並列に搬送する並列搬送が可能で、且つ並列搬送される複数枚の該記録体に画像形成が可能であり、
複数の異なる画像からなる原稿データを読み込み、画像形成を行う際、２つの搬送領域として第１搬送領域と第２搬送領域とで該記録体を２列で並列搬送し、該第１搬送領域で搬送する第１記録体と該第２搬送領域で搬送する第２記録体とに該原稿データの所定の順番で振り分けて画像形成を行う画像形成装置において、
該排紙部は、該第１記録体の排出位置に対応した第１排紙トレイと該第２記録体の排出位置に対応した第２排紙トレイとを備え、該第１排紙トレイは該第２排紙トレイよりも下方の位置にあり、該第２排紙トレイは該第１排紙トレイ側が下向きとなるよう傾斜し、該第２排紙トレイに排紙された第２記録体は該第１排紙トレイに落下することを特徴とする画像形成装置。
【請求項２】
請求項１の画像形成装置において、
上記第１排紙トレイは上記第２排紙トレイ側が下向きとなるよう傾斜しており、該第１排紙トレイの傾斜の下端側に壁部を備えたことを特徴とする画像形成装置。
【請求項３】
請求項１または２の画像形成装置において、
上記第１排紙トレイに積載された記録体の高さに応じて、該第１排紙トレイと上記第２排紙トレイとの高さ方向の間隔を調節することを特徴とする画像形成装置。
【発明の詳細な説明】
【技術分野】
【０００１】
本発明は、複写機、ファックス、プリンタ等の画像形成装置に係り、詳しくは複数枚の記録体を並列に搬送可能な搬送経路を備えた画像形成装置に関するものである。
【背景技術】
【０００２】
複写機、プリンタ等の画像形成装置では、画像データに基づいて感光体上に潜像を形成し、この潜像を現像手段によりトナー像化し、このトナー像を転写手段で記録体に転写し、定着手段で定着することで記録体上に画像形成を行う。
従来、画像形成装置の高速化の要請から、潜像形成を速めるために感光体の回転速度の高速化、記録体を搬送する搬送速度を高速化などによって、画像形成プロセスの高速化がなされてきた。しかし、画像形成の精度を維持する上で感光体の回転速度の高速化には限界があり、記録体のハンドリングの面から搬送速度の高速化にも限界がある。
【０００３】
より短時間で多くの記録体に画像形成が可能な構成として、特許文献１及び特許文献２に開示されているように、記録体搬送方向に対して垂直な方向に複数枚の記録体を並べて搬送する並列搬送型の画像形成装置が知られている。以下、記録体搬送方向に対して垂直な方向に複数枚の記録体を並べて搬送する搬送経路において、一枚の記録体が通過する領域を搬送領域と呼ぶ。つまり、並列搬送する枚数に応じた数の搬送領域がある。
このような画像形成装置では、複数の搬送領域で並列搬送される複数の記録体に対して同時に画像形成ができ、１枚分の画像形成動作で２枚以上の記録体に画像形成が可能である。これにより、感光体の回転速度や記録体の搬送速度に無理なく、多くの記録体への画像形成が可能となる。
【０００４】
【特許文献１】特開平１０−０４８８９６号公報
【特許文献２】特開平０５−３１０３６１号公報
【発明の開示】
【発明が解決しようとする課題】
【０００５】
しかしながら、特許文献１及び特許文献２に開示されている並列搬送を行う画像形成装置では、並列搬送される複数の記録体はそれぞれ異なる排紙位置に排出される。このような画像形成装置では、複数の異なる画像からなる原稿を連続して読み取り、所定の順番に２つの搬送領域で搬送されるそれぞれの記録体に振り分けて画像形成するような場合、排紙トレイには原稿の奇数ページと偶数ページが別れて排出されることになる。奇数ページと偶数ページが別れて排出されると、画像形成終了後に１枚ずつ並び替える作業が必要となるため、かえって作業の効率化に支障をきたす結果となってしまう。
【０００６】
本発明は、以上の問題に鑑みなされたものであり、その目的とするところは、複数の異なる画像からなる原稿を連続して読み取り、所定の順番に２つの搬送領域で搬送されるそれぞれの記録体に振り分けて画像形成するような場合でも、画像形成終了後に記録体の並べ替えを必要とせず、作業の効率化を図ることができる画像形成装置を提供することである。
【課題を解決するための手段】
【０００７】
上記目的を達成するために、請求項１の発明は、像担持体と、該像担持体上にトナー像を形成する画像形成手段と、記録体を給紙する給紙手段と、該給紙手段により給紙された該記録体に該担持体上のトナー像を転写する転写手段と、該転写手段により該記録体上に形成されたトナー像を該記録体上に定着する定着手段と、トナー像の定着がなされた該記録体が排出され排紙部を有し、該記録体を搬送する搬送経路を記録体搬送方向に垂直な幅方向に領域を分けた複数の搬送領域で、該記録体を並列に搬送する並列搬送が可能で、且つ並列搬送される複数枚の該記録体に画像形成が可能であり、複数の異なる画像からなる原稿データを読み込み、画像形成を行う際、２つの搬送領域として第１搬送領域と第２搬送領域とで該記録体を２列で並列搬送し、該第１搬送領域で搬送する第１記録体と該第２搬送領域で搬送する第２記録体とに該原稿データの所定の順番で振り分けて画像形成を行う画像形成装置において、該排紙部は、該第１記録体の排出位置に対応した第１排紙トレイと該第２記録体の排出位置に対応した第２排紙トレイとを備え、該第１排紙トレイは該第２排紙トレイよりも下方の位置にあり、該第２排紙トレイは該第１排紙トレイ側が下向きとなるよう傾斜し、該第２排紙トレイに排紙された第２記録体は該第１排紙トレイに落下することを特徴とするものである。
また、請求項２の発明は、請求項１の画像形成装置において、上記第１排紙トレイは上記第２排紙トレイ側が下向きとなるよう傾斜しており、該第１排紙トレイの傾斜の下端側に壁部を備えたことを特徴とするものである。
また、請求項３の発明は、請求項１または２の画像形成装置において、上記第１排紙トレイに積載された記録体の高さに応じて、該第１排紙トレイと上記第２排紙トレイとの高さ方向の間隔を調節することを特徴とするものである。
【０００８】
上記請求項１乃至３の画像形成装置においては、第２排紙トレイに排紙された第２記録体は第１排紙トレイに落下するため、それぞれに画像形成がなされた第１記録体と第２記録体とを交互に第１排紙トレイに積載することができる。
【発明の効果】
【０００９】
請求項１乃至６の発明によれば、交互に画像形成がなされた第１記録体と第２記録体とを交互に第１排紙トレイに積載することができるので、画像形成終了後に記録体の並べ替えを必要とせず、作業の効率化を図ることができるという優れた効果がある。
【発明を実施するための最良の形態】
【００１０】
以下、本発明を、画像形成装置である電子写真方式の複写機（以下、単に複写機６００という）に適用した実施形態について説明する。
まず、本実施形態に係る複写機６００の基本的な構成について説明する。図１は、複写機６００を示す概略構成図である。この複写機６００は、プリンタ部１００と給紙部２００とからなる画像形成手段と、スキャナ部３００と、原稿搬送部４００とを備えている。スキャナ部３００はプリンタ部１００上に取り付けられ、そのスキャナ部３００の上に原稿自動搬送装置（ＡＤＦ）からなる原稿搬送部４００が取り付けられている。
【００１１】
スキャナ部３００は、コンタクトガラス３２上に載置された原稿の画像情報を読み取りセンサ３６で読み取り、読み取った画像情報を図示しない制御部に送る。制御部は、スキャナ部３００から受け取った画像情報に基づき、プリンタ部１００の露光装置２１内に配設された図示しないレーザやＬＥＤ等を制御してドラム状の４つの感光体４０Ｋ，Ｙ，Ｍ，Ｃに向けてレーザ書き込み光Ｌを照射させる。この照射により、感光体４０Ｋ，Ｙ，Ｍ，Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００１２】
プリンタ部１００は、露光装置２１の他、作像部２０、２次転写装置２２、定着装置２５、及び作像部２０と平行に、シート両面に画像を記録すべく記録紙を反転する記録体反転装置２８、図示しないトナー供給装置、トナー供給装置等も備えている。
【００１３】
給紙部２００は、プリンタ部１００の下方に配設された自動給紙部と、プリンタ部１００の側面に配設された手差し部とを有している。そして、自動給紙部は、ペーパーバンク４３内に多段に配設された２つの給紙カセット４４、給紙カセットから記録体たる転写紙を繰り出す給紙ローラ４２、繰り出した転写紙を分離して第１給紙路４６に送り出す分離ローラ４５等を有している。また、プリンタ部１００の第２給紙路４８に転写紙を搬送する搬送ローラ４７等も有している。一方、手差し部は、手差しトレイ５１、手差しトレイ５１上の転写紙を手差し給紙路５３に向けて一枚ずつ分離する手差し分離ローラ５２等を有している。
【００１４】
プリンタ部１００の第２給紙路４８の末端付近には、レジストローラ対４９が配設されている。このレジストローラ対４９は、給紙カセット４４や手差しトレイ５１から送られてくる転写紙を受け入れた後、所定のタイミングで中間転写体たる中間転写ベルト１０と２次転写装置２２との間に形成される２次転写ニップに送る。
【００１５】
複写機６００において、操作者は、カラー画像のコピーをとるときに、原稿搬送部４００の原稿台３０上に原稿をセットする。あるいは、原稿搬送部４００を開いてスキャナ部３００のコンタクトガラス３２上に原稿をセットした後、原稿搬送部４００を閉じて原稿を押さえる。そして、図示しないスタートスイッチを押す。すると、原稿搬送部４００に原稿がセットされている場合には原稿がコンタクトガラス３２上に搬送された後に、コンタクトガラス３２上に原稿がセットされている場合には直ちに、スキャナ部３００が駆動を開始する。そして、第１走行体３３及び第２走行体３４が走行し、第１走行体３３の光源から発せられる光が原稿面で反射した後、第２走行体３４に向かう。更に、第２走行体３４のミラーで反射してから結像レンズ３５を経由して読み取りセンサ３６に至り、画像情報として読み取られる。
なお、原稿台にセットされた原稿が複数枚の場合は、一番上の原稿から順次スキャナ部３００に搬送され、原稿台にセットされた状態で上面側にある画像が読み込まれる。なお、両面の画像を読み込む際には原稿搬送部４００が備える反転装置にて記録紙の反転がなされ、原稿台にセットされた状態で下面側にある画像の読み込みがなされる。
【００１６】
このようにして画像情報が読み取られると、プリンタ部１００の作像部２０でトナー像を形成する。作像部２０では図示しない駆動モータで支持ローラ１４、１５、１６の１つを回転駆動させながら他の２つの支持ローラを従動回転させる。そして、これらローラに張架される中間転写ベルト１０を無端移動させる。更に、上述のようなレーザ書き込みや、後述する現像プロセスを実施する。そして、感光体４０Ｋ，Ｙ，Ｍ，Ｃを回転させながら、それらに、ブラック，イエロー，マゼンタ，シアンの単色画像を形成する。これらは、感光体４０Ｋ，Ｙ，Ｍ，Ｃと、中間転写ベルト１０とが当接するＫ，Ｙ，Ｍ，Ｃ用の１次転写ニップで順次重ね合わせて静電転写されて４色重ね合わせトナー像になる。
【００１７】
一方、給紙部２００は、画像情報に応じたサイズの転写紙を給紙すべく、３つの給紙ローラのうちの何れか１つを作動させて、転写紙をプリンタ部１００の第２給紙路４８に導く。第２給紙路４８内に進入した転写紙は、レジストローラ対４９に挟み込まれて一旦停止した後、タイミングを合わせて、中間転写ベルト１０と２次転写装置２２の２次転写ローラ２３との当接部である２次転写ニップに送り込まれる。すると、２次転写ニップにおいて、中間転写ベルト１０上の４色重ね合わせトナー像と、転写紙とが同期して密着する。そして、ニップに形成されている転写用電界やニップ圧などの影響によって４色重ね合わせトナー像が転写紙上に２次転写され、紙の白色と相まってフルカラー画像となる。
【００１８】
２次転写ニップを通過した転写紙は、２次転写装置２２の搬送ベルト２４の無端移動によって定着装置２５に送り込まれる。そして、定着装置２５の加圧ローラ２７による加圧力と、加熱ベルトによる加熱との作用によってフルカラー画像が定着せしめられた後、排出ローラ５６を経てプリンタ部１００の側面に設けられた排紙部５００上に排出される。
両面に画像形成を形成する際は、トナー像を定着した後、切換爪５５で切り換えて記録体反転装置２８に入れ、そこで反転して再び転写装置２２へと導き、裏面にも画像を記録して後、排紙部５００上に排出する。
【００１９】
また、複写機６００は、記録紙の搬送方向に対して垂直な幅方向に複数枚の記録紙を並べて搬送する並列搬送を行うことができる。Ａ２やＡ３などサイズが大きい記録紙にも画像形成が可能な複写機で、使用頻度が高いＡ４やＢ５といったサイズを使用いていると、記録紙の搬送方向の幅方向には使用されないデッドスペースが存在することになる。幅方向に複数枚の記録紙を並べて搬送し、画像形成が可能であれば、幅方向のデッドスペースを少なくすることができる。さらに、複数枚を同時に画像形成可能であるので、多くの記録紙Ｐに画像形成を行う場合には時間の短縮につながる。
【００２０】
さらに、複写機６００は、複数の異なる画像からなる原稿を読み込み、画像形成を行う際には、同じサイズの記録紙を２列で並列搬送し、奇数ページと偶数ページとの画像データをそれぞれの列の記録紙に交互に振り分けて画像形成を行う。
以下、このような画像形成動作について、より具体的に説明する。
【００２１】
原稿束を原稿台３０にセットし、コピーをはじめる操作がなされると、原稿台３０にセットした原稿を１枚ずつスキャナ部３００に搬送し、画像情報を読み取る。読み取った画像情報のうち連続する奇数ページの画像と偶数ページの画像とを作像部２０で同時に作像し、中間転写ベルト１０上に並列してトナー像化する。なお、奇数ページのトナー像である第１トナー像を中間転写ベルト１０上の図１中奥側の第１像担持領域に形成し、偶数ページのトナー像である第２トナー像を中間転写ベルト１０上の図中手前側の第２像担持領域に形成する。
【００２２】
一方、給紙部２００の複数の給紙カセット４４のうち、少なくとも一つはＡ４またはＢ５サイズの記録紙束を２列に収容している。そして、画像情報の読み取りと並行して２列の記録紙束の最上部の記録紙は給紙ローラ４２によって、２枚同時に繰り出される。以下、複写機６００内で、同時に繰り出された記録紙のうち図１中奥側の記録紙である第１記録紙が通過する搬送経路を第１搬送領域、図１中手前側の記録紙である第２記録紙が通過する搬送経路を第２搬送領域と呼ぶ。
【００２３】
第１記録紙と第２記録紙とは同時に繰り出された後、並列で搬送され、レジストローラ対４９で中間転写ベルト１０上の第１トナー像及び第２トナー像との位置合わせを受けて、２次転写装置２２に搬送される。
２次転写装置２２で中間転写ベルト１０上の第１トナー像と第２トナー像との転写を受けた第１記録紙と第２記録紙とは定着装置２５に送り込まれてトナー像の定着がなされて、２枚同時に排出される。
【００２４】
次に、排紙部５００について説明する。図２は排紙部５００の構成の概略を説明する斜視説明図である。
排紙部５００において、排紙された記録紙を積載する排紙トレイは第１排紙トレイ５０１及び第２排紙トレイ５０２から構成される。第１排紙トレイ５０１は第２排紙トレイ５０２の下方にあり、第２排紙トレイ５０２は第１排紙トレイ５０１側が下向きとなるよう傾斜している。
【００２５】
第１搬送領域を通って排紙口５１０から排紙された第１記録紙は、図中矢印Ｂに示すように第１排紙トレイ５０１に落下し、そのまま第１排紙トレイ５０１にスタックされた記録紙束Ｐの上に落下する。一方、第２搬送領域を通って排紙口５１０から排紙された第２記録紙は、図中矢印Ｃに示すように第２排紙トレイ５０２に落下する。第２排紙トレイ５０２に落下した第２記録紙は、第２排紙トレイ５０２の傾斜に沿って第１排紙トレイ５０１に落下し、第１排紙トレイ５０１にスタックされた記録紙束Ｐの上に落下する。第２排紙トレイ５０２上には記録紙はスタックされず、第１排紙トレイ５０１にのみ記録紙がスタックされていく。
排紙口５１０から同時に排紙されても、第１記録紙は排紙口５１０から直接第１排紙トレイ５０１に落下し、第２記録紙は排紙口５１０から一度第２排紙トレイ５０２に落下した後、第１排紙トレイ５０１にすべり落ちるため第１記録紙の方が下にスタックされる。このように、原稿の奇数ページのトナー像である第１トナー像の転写を受けた第１記録紙の上に、偶数ページのトナー像である第２トナー像の転写を受けた第２記録紙が重ねられていく。よって、第１排紙トレイ上には下から順に、原稿のページ順に並んでスタックされることになる。
【００２６】
図３は、排紙部５００を排紙口５１０の正面（図２中の矢印Ａ方向）から見た図である。
第１排紙トレイ５０１は第２排紙トレイ５０２側が下向きとなるよう傾斜しており、排紙部５００は第１排紙トレイ５０１の傾斜の下端に壁部５０３を備えている。
第１排紙トレイ５０１に落下した記録紙は第１排紙トレイ５０１の傾斜によって図３中矢印Ｄ方向に移動し、第１排紙トレイ５０１の傾斜の下端にある壁部５０３に沿ってスタックされる。第２排紙トレイ５０２に落下した記録紙は第２排紙トレイ５０２の傾斜によって図３中矢印Ｅ方向に滑り落ち、第１排紙トレイ５０１に落下し、その後、矢印Ｄ方向に移動して、壁部５０３に沿ってスタックされる。
第１排紙トレイ５０１が水平であると第２排紙トレイ５０２から落下した記録紙の位置と排紙口５１０から直接に第１排紙トレイ５０１に排紙された記録紙の位置とに、第２排紙トレイ５０２からの落下進行方向にずれが生じる。しかし、上述のように第１排紙トレイ５０１を傾斜させ、その下端で記録紙束Ｐを揃える構成により、第２排紙トレイ５０２からの落下進行方向の位置ずれが生じることを防止できる。
【００２７】
排紙部５００では第１排紙トレイ５０１のみに記録紙がスタックされていく。このような構成で第１排紙トレイ５０１と第２排紙トレイ５０２との高さ方向の間隔が一定だと、スタックされた記録紙束Ｐの高さが高くなると第２排紙トレイ５０２から落下する記録紙が第１排紙トレイ５０１上の記録紙束Ｐの上にうまく載らなくなる。そこで、排紙部５００は第１排紙トレイ５０１の昇降機構備えている。
以下、第１排紙トレイ５０１に積載された記録紙の０高さに応じて、第１排紙トレイ５０１と第２排紙トレイ５０２との高さ方向の間隔を調節する、第１排紙トレイ５０１の昇降機構について説明する。
第１排紙トレイ５０１は、トレイ昇降用ボルト５０４に螺合されており、図中Ｚ方向に移動可能に保持されている。トレイ昇降用ボルト５０４を駆動装置５０５のパルスモータ５０６により回転させることで、ネジ送り機構によって第１排紙トレイ５０１を昇降し、その高さを調節することができる。
【００２８】
次に、第１排紙トレイ５０１上の記録紙束Ｐの高さを検知する検知センサについて説明する。
図３に示すように、壁部５０３には、第１排紙トレイ５０１上にスタックされた用紙束の高さを感知する記録紙センサ５０７を設けている。
図４は、図３における記録紙センサ５０７近傍の拡大説明図である。
図４に示す記録紙センサ５０７は、記録紙の上面に接触する感知部材であるフィラー５０８が記録紙束Ｐの最上面に接触することで記録紙束Ｐの高さを感知するフィラーセンサである。
第１排紙トレイ５０１に記録紙が積載され、記録紙束Ｐの高さが上昇すると、記録紙束Ｐの最上面に接触するフィラー５０８が図中矢印Ｆ方向に持ち上がる。フィラー５０８の持ち上がりが一定量を超えるとセンサがＯＮとなる構造となっている。
センサがＯＮとなると図３で示した駆動装置５０５のパルスモータ５０６に駆動する信号が送られ、トレイ昇降用ボルト５０４を回転させる。これにより、第１排紙トレイ５０１が一定量降下して、フィラー５０８の記録紙束Ｐとの接触位置も降下して、記録紙センサ５０７がＯＦＦになる。
【００２９】
ここまでは、複数の異なる画像からなる原稿を、スキャナ部３００で読み込み画像形成を行う構成について説明したが、複数の異なる画像からなる原稿としてはこれに限るものではなく、電子データとして複写機６００に供給された原稿データに基づいて画像形成を行うものでも良い。
【００３０】
原稿が両面画像であり、画像形成がなされた記録紙の下面に原稿の上面の画像が形成されている場合は、定着後そのまま排出する。一方、原稿が片面画像であり、画像形成がなされた記録紙の上面に原稿の上面の画像が形成されている場合は、切換爪５５で切り換えて記録体反転装置２８に入れる。そして、記録体反転装置２８内で画像面が下面になって状態で、搬送方向を逆にして、記録体反転装置２８から排出ローラ５６へ搬送し、排紙部５００へ排出する。このように原稿では上面あった画像を排出する記録紙の下面となるようにスタック（フェースダウン排紙）することで、スタックされた記録紙が下側から順に原稿の順番どおりに揃うようになる。
なお、原稿の読み込みの順番とは逆の順番にそろえて出力を行いたい場合、片面画像のときは記録体反転装置２８を通さず、定着装置２５から直接排紙する。一方、両面画像のときは両面の画像形成が終了した後、記録体反転装置２８で反転させた後に排紙する。
【００３１】
また、上述の説明では原稿の読み込み順に画像形成を行うものについて説明したが、原稿の画像を全て読み込み、不図示の記憶部に画像情報を保存した後、スタックされる順番にあわせて画像形成を行っても良い。例えば、原稿が片面画像である場合、原稿の画像を読み込んだ後に読み込んだ順番とは逆の順番で画像形成を行い、原稿の上面にあった画像を排出する記録紙の上面となるようにスタック（フェイスアップ排紙）する。このように、読み込みとは逆の順番で画像構成を行い、スタックすることでスタックされた記録紙の上側から順に原稿の順番どおりに揃うようになる。さらに、片面画像で画像形成がなされた面を上面にスタックしていくことができるので、上述の片面画像を読み込み順に画像形成を行うもののように記録体反転装置２８に入れずに定着装置２５から直接排紙を行うことができる。なお、読み込んだ順番とは逆の順番で画像形成を行う場合は、読み込み順の最後から奇数番面の画像を第１記録紙に作像し、読み込み順の最後から偶数番面の画像を第２記録紙に作像することでスタックされた記録紙束Ｐが原稿の順番どおりとなる。
【００３２】
複写機６００では第２記録紙は一度第２排紙トレイ５０２に排紙された後、第２排紙トレイ５０２の傾斜によって第１排紙トレイ５０１に落下する。よって、第２記録紙は第１記録紙よりも排紙されてから第１排紙トレイ５０１に積載されるまでの時間が長くなる。これにより、第１記録紙と第２記録紙とを同時に排紙しても原稿の奇数ページの画像が形成された第１記録紙の方が先に第１排紙トレイ５０１にスタックされ、記録紙束Ｐを原稿の画像の順番どおりにスタックすることができる。このように同時に排紙しても記録紙を順番どおりスタックできるので、第１記録紙と第２記録紙とを同時に搬送することができ、レジストローラ対４９で記録紙と中間転写ベルト１０上のトナー像との位置をあわせることができる。特開平１１−０２４３４３では、奇数ページの記録紙と、偶数ページの記録紙とを異なるタイミングで排紙するために、給紙カセットからのピックアップタイミングを異ならせており、ピックアップを行うタイミングで像担持体に形成されるトナー像との位置合わせを行う必要がある。記録紙をピックアップする位置から記録紙への転写位置まではある程度の距離を搬送する必要があるため、記録紙とトナー像とに位置ずれが生じやすい。一方、レジストローラはピックアップする位置に比べて記録紙の転写位置に近い箇所に設けられているので、記録紙とトナー像とに位置ずれが生じにくい。
また、同時にピックアップすることができるので、ピックアップのタイミングをずらすものに比べて、記録紙の搬送と記録紙上への画像形成の制御が容易になる。
なお、奇数ページと奇数ページとの間に偶数ページが積載されるようなタイミングであれば、排紙タイミングは同時に限られるものではなく、どのようなタイミングでも良い。
【００３３】
以上、本実施形態によれば、排紙部５００が第１記録紙の排出位置に対応した第１排紙トレイ５０１と第２記録紙の排出位置に対応した第２排紙トレイ５０２とを備え、第１排紙トレイ５０１は第２排紙トレイ５０２よりも下方の位置にあり、該第２排紙トレイは該第１排紙トレイ側が下向きとなるよう傾斜し、第２排紙トレイ５０２に排紙された第２記録紙は第１排紙トレイに落下するため、交互に画像形成がなされた第１記録紙と第２記録紙とを交互に第１排紙トレイ５０１にスタックすることができる。また、第１記録紙及び第２記録紙とは共に、原稿の上面の画像が下面になる状態で排出される。これにより、第１排紙トレイ５０１にストックされた記録紙は下側から順に、原稿の順番に揃った状態となり、画像形成終了後に記録紙の並べ替えを必要とせず、作業の効率化を図ることができるという優れた効果がある。
また、第１排紙トレイ５０１が第２排紙トレイ５０２側に傾斜しており、第１排紙トレイ５０１の傾斜の下端側に壁部５０３を設けているので、第１排紙トレイ５０１上の記録紙束Ｐは壁部５０３に沿ってスタックされるため、第２排紙トレイ５０２からの落下進行方向に生じる記録紙束Ｐのずれをなくすことができる。
また、第１排紙トレイ５０１にスタックされた記録紙束Ｐの高さに応じて、第１排紙トレイ５０１の高さを調節し、２つの排紙トレイの間隔を調整することにより、全ての画像形成が終了するまで第２排紙トレイ５０２からの落下スタックが可能となる。
【図面の簡単な説明】
【００３４】
【図１】実施形態に係る複写機を示す概略構成図。
【図２】上記複写機の排紙部の斜視説明図。
【図３】上記複写機の排紙部の正面説明図。
【図４】記録紙センサ近傍の拡大説明図。
【符号の説明】
【００３５】
１０    中間転写ベルト
２０    作像部
２１    露光装置
２２    ２次転写装置
２３    ２次転写ローラ
２５    定着装置
２７    加圧ローラ
３０    原稿台
３２    コンタクトガラス
３３    第１走行体
３４    第２走行体
３５    結像レンズ
３６    読み取りセンサ
４０    感光体
４２    給紙ローラ
４３    ペーパーバンク
４４    給紙カセット
４５    分離ローラ
４６    給紙路
４７    搬送ローラ
４８    第２給紙路
４９    レジストローラ対
５１    手差しトレイ
５２    手差し分離ローラ
５３    手差し給紙路
５６    排出ローラ
１００  プリンタ部
２００  給紙部
３００  スキャナ部
４００  原稿搬送部
５００  排紙部
５０１  第１排紙トレイ
５０２  第２排紙トレイ
５０３  壁部
５０４  トレイ昇降用ボルト
５０５  駆動装置
５０６  パルスモータ
５０７  記録紙センサ
５０８  フィラー
６００  複写機
【図１】
2006256801.tif 000003
【図２】
2006256801.tif 000004
【図３】
2006256801.tif 000005
【図４】
2006256801.tif 000006